【事件の表示】
　特許第２９４７２８２号「パチンコ機」の請求項１、２に係る特許に対する特許異議の申立てについて、次のとおり決定する。
【結　論】
　訂正を認める。
　特許第２９４７２８２号の請求項１に係る特許を維持する。
【理　由】
一、手続の経緯
　本件特許第２９４７２８２号に係る発明は、平成２年８月１８日に特許出願された特願平２−２１７７７３号の一部を平成１０年８月１９日に分割した特願平１０−２５０３７４号に係り、平成１１年７月２日設定登録され、この特許に対し、特許異議申立人河井清悦（以下、「申立人」という。）より特許異議の申立てがなされ、当審において取消理由を通知したところ、その指定期間内の平成１２年１２月１２日に特許異議意見書が提出され、再度当審において取消理由を通知したところ、その指定期間内の平成１３年３月８日付けで訂正請求がなされたものである。
　
二、訂正の適否についての判断
１．訂正の内容
　特許権者は、特許明細書を次のように訂正しようとするものである。
［訂正事項ａ］
　特許明細書の【特許請求の範囲】の
　「【請求項１】大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、前記可動部材の一定回数の開放状態のうち最初の開放状態から所定回数目の開放状態間では前記入賞増大機構の作動を許容する一方、その後の前記可動部材の開放状態のときに前記入賞増大機構の作動を禁止する禁止制御手段を設けたことを特徴とするパチンコ機。
　　【請求項２】前記禁止制御直後の前記可動部材の開放状態のときには、再度前記入賞増大機構の作動を許容するようにしたことを特徴とする請求項１記載のパチンコ機。」
の記載を、
　「【請求項１】大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、前記可動部材の一定回数の開放状態のうち最初の開放状態から所定回数目の開放状態間では前記入賞増大機構の作動を許容する一方、その後の前記可動部材の開放状態のときに前記入賞増大機構の作動を禁止
し、更に前記禁止制御直後の前記可動部材の開放状態のときには、再度前記入賞増大機構の作動を許容
と訂正する。
　
［訂正事項ｂ］
　特許明細書の段落【０００４】の
　「【課題を解決するための手段】上記した目的を達成するために、本発明においては、大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、前記可動部材の一定回数の開放状態のうち最初の開放状態から所定回数目の開放状態間では前記入賞増大機構の作動を許容する一方、その後の前記可動部材の開放状態のときに前記入賞増大機構の作動を禁止する禁止制御手段を設けたことを特徴とするものである。」
の記載を
　「【課題を解決するための手段】上記した目的を達成するために、本発明においては、大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、前記可動部材の一定回数の開放状態のうち最初の開放状態から所定回数目の開放状態間では前記入賞増大機構の作動を許容する一方、その後の前記可動部材の開放状態のときに前記入賞増大機構の作動を禁止
し、更に前記禁止制御直後の前記可動部材の開放状態のときには、再度前記入賞増大機構の作動を許容
と訂正する。
　
２．訂正の目的の適否、新規事項の有無及び拡張・変更の存否
　訂正事項ａの訂正は、特許請求の範囲の減縮を目的とするものに該当する。
　訂正事項ｂの訂正は、発明の詳細な説明の記載を訂正後の特許請求の範囲の記載と整合させるためのものであるから、上記訂正事項ｂの訂正は、明りょうでない記載の釈明を目的とするものに該当する。
　そして、これらの訂正は、願書に添付した明細書、又は図面に記載された事項の範囲内において訂正するものであって新規事項を追加するものでなく、かつ、実質上特許請求の範囲を拡張、又は変更するものでもない。
　
３．むすび
　以上のとおりであるから、上記訂正請求は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の訂正に関する規定に適合するので、当該訂正を認める。
　
三、特許異議申立てについて
１．特許異議申立ての理由の概要
　申立人は下記の証拠方法証を提示して、本件の特許明細書の特許請求の範囲の請求項１及び請求項２に係る発明についての本件特許は、次の取消理由により、取り消されるべきである旨を主張している。
［取消理由１］：請求項１及び請求項２に係る発明は、甲第１号証に記載された発明と同一であるから、本件発明についての特許は特許法第２９条の２第１項の規定に違反してなされたものである。
［取消理由２］：請求項１及び請求項２に係る発明は、甲第２号証に記載された発明と同一であるから、本件発明についての特許は特許法第３９条第２項の規定に違背して特許されたものである。
　　　　　　　　　　　　　　　　　記
［甲第１号証］：特願平２−２１０２４９号（特開平４−９６７７６号公報参照）の願書に最初に添付した明細書又は図面（以下、これを「先願当初明細書等」という。）
［甲第２号証］：特許第２９４８６３５号公報（本件特許出願のもとの特許出願の特許掲載公報）
　
２．当審の判断
２−１　本件発明
　本件発明は、特許明細書が訂正請求により訂正された結果、訂正明細書の特許請求の範囲の請求項１に記載された事項により特定されるとおりのものである。（前記「二、訂正の適否についての判断」の欄の「１．訂正の内容」の項の［訂正事項ａ］を参照。）
　
２−２［取消理由１］（特許法第２９条の２第１項）について
（１）先願当初明細書等（甲第１号証）に記載の発明
　先願当初明細書等（甲第１号証）には、パチンコ機に関し、次の事項が記載されている。
　「遊技者にとって不利な第１状態と遊技者にとって有利な第２状態とに変換可能な可動部材を有する変動入賞装置と、打球の入賞に基づいて可動部材の変換を開始させる特定入賞スイッチを有する特定入賞口と、変動入賞装置内に設けられ、打球の入賞に基づいて特別遊技を開始させる特別入賞スイッチを有する特別入賞口と、変動入賞装置内に設けられ、特別入賞口への入賞確率を制御する誘導部材と、特定入賞スイッチからの信号に基づいて可動部材の制御を行う可動部材制御手段と、特別入賞スイッチからの信号に基づいて特別遊技の制御を行う特別遊技制御手段と、特別入賞スイッチからの信号に基づいて誘導部材の作動範囲を決定する作動範囲決定手段と、作動範囲決定手段からの信号に基づいて誘導部材の駆動を制御する誘導部材駆動制御手段と、からなることを特徴とするパチンコ機。」（１頁左欄５行〜右欄４行）
　「また、作動範囲決定手段は、特別入賞スイッチからの信号に応じて誘導部材の作動範囲を決定する。誘導部材駆動制御手段は、作動範囲決定手段からの信号に応じて誘導部材を制御し、決定された作動範囲内で誘導部材を作動させ、特別遊技の継続条件達成確率を制御する。」（２頁左下欄７行〜１３行）
　「上記した可動部材３０は、凹室内の軸受３５に支承されていて、軸受３５の後端にはクランク４１が取付けられている。またクランク４１の軸４２は主駆動装置２２のレバー４３に設けられた長穴４４に遊合していて、このレバー４３はソレノイド４５のプランジャ４６に取付けられている。したがって、ソレノイド４５のプランジャ４６が吸引されると第６図Ａで示すように可動部材３０は開き、球を開□部２５に流入させ易い遊技者にとって有利な第２状態となり、一方、ソレノイド４５の付勢がなくなりプランジャ４６が自重で下位置に戻ると、第６図Ｂで示すように可動部材３０は閉じ、球を開□部２５に流入させない遊技者にとって不利な第１状態となる。」（３頁左下欄２行〜１５行）
　「腕部５０は、上部仕切板３４の後側と、下部仕切板３６の前側上部に設けた開口部２５に挿通されている。また、腕部５０には、肩側に肩軸６９を設けてあり、肩軸６９を胴部４９の後側に形成した凹部７０に嵌挿し、この凹部７０を外枠５３で後方より塞ぐことにより、腕部５０を肩軸６９を中心として左右に往復動可能に胴部４９に取付ける。肩軸６９には、内側に向かって操作突起７１が突設していて、中枠５２には、この操作突起７１が接触するカム部７２が設けてある。したがって、胴部４９が押し上げられると、操作突起７１がカム部７２によって遊技盤６の奥側から遊技盤６の手前側に向って押され、これにより肩軸６９が回動して、第６図Ａおよび第１１図に示すように、腕部５０が開く。一方、胴部４９が下位置にある場合には、第６図Ｂおよび第１０図に示すように、腕部５０は閉じている。上記した腕部５０の手により誘導部材７３を構成する。この誘導部材７３は、それぞれ分割され、上部に向かって拡開しており、手７４を合わせたときに漏斗状となり、球を特別入賞口１５へ誘導するようになっている。」（４頁右上欄１行〜左下欄２行）
　「マイクロコンピュータ等からなる制御手段７５は、可動部材制御手段７６と、特別遊技制御手段７７と、作動範囲決定手段７８と、誘導部材駆動制御手段７９と、入賞個数計数手段８０、継続回数計数手段８１とからなる。」（４頁左下欄７行〜１１行）
　「特別遊技が発生し特別遊技制御手段７７から特別遊技信号を受信した場合には可動部材３０を所定回数だけ開閉する。本実施例における特別遊技時の可動部材３０の開閉回数は、最大１８回であるが、特別入賞口１５に入賞し継続条件が成立した場合には、１８回未満であっても開閉を終了する。」（４頁右下欄５行〜１１行）
　「作動範囲決定手段７８は、特別入賞スイッチ１６と連絡し、最初に受信した特別入賞信号に基づき、乱数生成手段８４より乱数を取り出す乱数取出手段８５と、取り出した乱数に基づき誘導部材７３を特別遊技の何サイクル目まで駆動させるかを決定する誘導条件決定手段８６と、継続回数計数手段８１からの継続回数信号と誘導条件決定手段８６からの駆動サイクル数信号とを比較する比較手段８７とからなる。また、継続回数計数手段８１は、継続回数表示器２９と連絡し、継続回数表示器２９に継続回数を表示する。本実施例においては、誘導条件決定手段８６において決定する特別遊技のサイクル数は、「３回」「６回」「９回」「１２回」「１６回」の５種類とするが、サイクル数はこれらに限らず適宜に変更して実施することができる。」（４頁右下欄１６行〜５頁左上欄１１行）
　「また、特別遊技時には、上記したように可動部材駆動制御手段８３により可動部材３０の開閉を行わせるとともに、誘導部材駆動制御手段７９に信号を送信し、誘導部材７３の駆動制御を行わせる。誘導部材駆動制御手段７９は、特別遊技制御手段７７と比較手段８７と連絡し、特別遊技時に所定の条件が達成した後、比較手段８７から誘導部材７３の作動停止信号を受信するまでの間、誘導部材７３を駆動させる。本実施例においては、比較手段８７が誘導部材７３の作動停止信号を発信するのは、上記したように継続回数が「３回」「６回」「９回」「１２回」「１６回」のいずれかとなった時である。」（５頁右上欄１０行〜左下欄３行）
　「遊技が開始され、第２特定入賞口１３に打球が入賞し第２特定入賞スイッチ２０がオンすると、有効時間タイマをセットし、０．８秒のウエイトタイム終了後、可動部材３０を０．４秒間オンとし可動部材３０を１回開閉する。ここで、特別入賞口１５に入賞して特別入賞スイッチ１６がオンすると、有効時間タイマをリセットして特別遊技を開始する。」（５頁左下欄８行〜１５行）
　「特別遊技が開始すると、乱数取出手段８５が乱数生成手段８４より乱数を取り出し、誘導条件決定手段８６が、取り出した乱数に基づき誘導部材７３を特別遊技の何サイクル目まで駆動させるかを決定する。上記したように、本実施例において決定されるサイクル数は「３回」「６回」「９回」「１２回」「１６回」の５種類である。」（５頁右下欄１３行〜１９行）
　「ここで、特別入賞口１５に入賞して特別入賞スイッチ１６がオンすると、継続回数を調べ、継続回数が１６回未満であるならば継続回数カウンタに「１」を加算し、継続回数表示器２９に現在の継続回数を更新して表示し、可動部材３０の可動を停止し、入賞個数表示器３９の表示をリセットし、誘導部材７３の駆動をオフにして継続回数カウンタリセット後の処理に戻る。一方、継続回数が１６回以上の場合は、それ以上の特別遊技の継続は行わずに次のステップに移る。したがって、特別遊技の継続回数の上限は１６回となる。また、変動入賞装置１１内への入賞個数を計数するカウントスイッチ１８がオンになる毎に、入賞個数カウンタに「１」を加算する。ここで、入賞個数カウンタ値が「４」以上となるか、開閉カウンタ値が「６」以上となると、特別遊技の継続回数と誘導条件決定手段８６により決定したサイクル数とを比較する。そして、継続回数が決定したサイクル数以下の場合には、誘導部材７３を駆動して、特別入賞口１５への入賞確率を高めるようにする。すなわち、変動入賞装置１１内へ入賞した打球が「４個」までの間、または可動部材が「６回」開閉するまでの間、特別遊技を継続させる条件である継続特別入賞口１５への入賞がない場合に継続条件を達成し易くするのである。」（６頁左上欄６行〜右上欄１１行）
　「そして、入賞個数カウンタ値が「１０」未満か、開閉回数カウンタ値が「１８」未満の場合には、第２特定入賞スイッチのオンオフ判断処理に戻り上記処理を繰り返す。一方、入賞個数カウンタ値が「１０」以上になるか、開閉回数カウンタ値が「１８」以上になった場合には、継続回数を調べ、継続回数が「１６」未満の場合には、ウエイトタイマをセットし、ウエイトタイム（本実施例では０．８秒）内に、特別入賞口１５へ入賞し特別入賞スイッチ１６がオンすると特別遊技の継続処理へ戻り、処理を繰り返す。また、継続回数が「１６回」を超えるか、ウエイトタイム内に特別入賞口１５への入賞がない場合には、可動部材３０の可動を停止し、誘導部材７３の駆動を停止して特別遊技処理を終了する。すなわち、特別遊技の継続回数の上限は１６回であり、また、変動入賞装置１１内へ入賞した打球が「１０個」までの間、または可動部材が「１８回」開閉するまでの間、特別遊技を継続させる条件である継続特別入賞口１５への入賞がない場合には、特別遊技を終了させる。」（６頁右上欄１２行〜左下欄１２行）
　「この第２実施例は、前記した第１実施例が誘導条件決定手段８６において決定した特別遊技のサイクル数までの間、誘導部材７３を駆動させるのに対して、誘導条件決定手段８６において決定したサイクル数から後、誘導部材７３を駆動させるものである。したがって、両者の相違点のみ説明し、同様の構成部分は説明を省略する。特別遊技処理において特別遊技が開始すると、乱数取出手段８５が乱数生成手段８４より乱数を取り出し、誘導条件決定手段８６が、取り出した乱数に基づき誘導部材７３を特別遊技の何サイクル目から駆動させるかを決定する。本実施例において決定されるサイクル数は「１回」「３回」「６回」「９回」「１２回」の５種類である。そして、遊技が継続され、入賞個数カウンタ値が「４」以上となるか、開閉カウンタ値が「６」以上となると、特別遊技の継続回数と誘導条件決定手段８６により決定したサイクル数とを比較する。そして、継続回数が決定したサイクル数以上になった場合に、誘導部材７３を駆動して、特別入賞口１５への入賞確率を高めるようにする。」（６頁左下欄１５行〜右下欄１５行）
　「以上説明したように本発明によれば、誘導部材により特別遊技の継続確率を変化させる場合において、誘導部材の駆動開始又が駆動停止を種々の要因により変化させているので、制御できる確率の幅が広く、遊技状態に適応した制御が可能である。したがって、遊技の興趣を損なうことなく、遊技者の利益と遊技店の利益の双方を満足させることができる。」（８頁左上欄１７行〜右上欄５行）
　
（２）対比及び一致点・相違点
　本件発明と先願当初明細書等に記載の発明とを対比すると、先願当初明細書等に記載の発明の「特別遊技」「特別入賞口１５」「変動入賞装置１１」 「パチンコ機」のそれぞれが、本件発明の「大当り状態」「特定入賞口」「変動入賞装置」「パチンコ機」に相当することは明らかである。
　そして、先願当初明細書等の「特別遊技が発生し特別遊技制御手段７７から特別遊技信号を受信した場合には可動部材３０を所定回数だけ開閉する。特別遊技時の可動部材３０の開閉回数は、最大１８回であるが、特別入賞口１５に入賞し継続条件が成立した場合には、１８回未満であっても開閉を終了する。」及び「特別遊技の継続回数の上限は１６回であり、また、変動入賞装置１１内へ入賞した打球が「１０個」までの間、または可動部材が「１８回」開閉するまでの間、特別遊技を継続させる条件である継続特別入賞口１５への入賞がない場合には、特別遊技を終了させる。」の記載からみて、先願当初明細書等に記載の上記「可動部材３０」が、本件発明の「大当り状態時に特定入賞口へ打球が入賞することを条件として一定回数所定の開放状態を繰り返す可動部材」に相当する。
　また、先願当初明細書等の「打球の入賞に基づいて遊技が開始され、第２特定入賞口１３に打球が入賞し第２特定入賞スイッチ２０がオンすると、可動部材３０を０．４秒オンとし可動部材３０を１回開閉する。」及び「腕部５０の手７４を合わせたときに漏斗状となり、球を特別入賞口１５へ誘導するようになっている誘導部材７３」の記載からみて、先願当初明細書等に記載の発明の「誘導部材７３」が、本件発明の「該可動部材の開放中に受け入れられた打球を前記特定入賞口に入賞させる可能性を増大する入賞増大機構」に相当する。 
　さらに、先願当初明細書等における「特別遊技が開始すると、乱数取出手段８５が乱数生成手段８４より乱数を取り出し、誘導条件決定手段８６が、取り出した乱数に基づき誘導部材７３を特別遊技の何サイクル目まで駆動させるかを決定する。」、「特別遊技の継続回数と誘導条件決定手段８６により決定したサイクル数とを比較する。そして、継続回数が決定したサイクル数以下の場合には、誘導部材７３を駆動して、特別入賞口１５への入賞確率を高めるようにする。」、「特別遊技時には、可動部材駆動制御手段８３により可動部材３０の開閉を行わせるとともに、誘導部材駆動制御手段７９に信号を送信し、誘導部材７３の駆動制御を行わせる。」、「誘導部材駆動制御手段７９は、特別遊技制御手段７７と比較手段８７と連絡し、特別遊技時に所定の条件が達成した後、比較手段８７から誘導部材７３の作動停止信号を受信するまでの間、誘導部材７３を駆動させる。」及び「比較手段８７が誘導部材７３の作動停止信号を発信するのは、上記したように継続回数が「３回」「６回」「９回」「１２回」「１６回」のいずれかとなった時である。」の記載からみて、先願当初明細書等の「可動部材制御手段７６と、特別遊技制御手段７７と、作動範囲決定手段７８と、誘導部材駆動制御手段７９と、入賞個数計数手段８０、継続回数計数手段８１とからなるマイクロコンピュータ等からなる制御手段７５」が、本件発明の「禁止制御手段」に相当する。
　そうしてみると、先願当初明細書等の上記記載からみて、結局のところ、先願当初明細書等には「特別遊技時に特別入賞口１５へ打球が入賞することを条件として１６回までの繰り返しを上限として、最大１８回の開放状態を繰り返す可動部材３０と、該可動部材３０の開放中に受け入れられた打球を前記特別入賞口１５に入賞させる可能性を増大する誘導部材７３とを有する変動入賞装置１１を備えたパチンコ機において、乱数取出手段８５が乱数生成手段８４より取り出した乱数に基づいて、誘導条件決定手段８６が決定した回数目のサイクルまでは前記誘導部材７３を駆動させる一方、その後の前記可動部材３０の開放状態のときに前記誘導部材７３の作動を停止する制御手段７５を設けたパチンコ機」が記載されているということができる。
　したがって、両者は「大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、前記可動部材の一定回数の開放状態のうち最初の開放状態から或る回数目の開放状態間では前記入賞増大機構の作動を許容する一方、その後の前記可動部材の開放状態のときに前記入賞増大機構の作動を禁止する禁止制御手段を設けたパチンコ機」である点で一致し、次の点で相違する。
［相違点１］：可動部材の一定回数の開放状態のうち禁止制御手段が入賞増大機構の作動を禁止せずに入賞増大機構の作動を許容する或る回数目の開放状態のときが、本件発明では「前記可動部材の一定回数の開放状態のうち最初の開放状態から所定回数目の開放状態間では」としているのに対し、先願当初明細書等に記載の発明では「乱数取出手段８５が乱数生成手段８４より取り出した乱数に基づいて、誘導条件決定手段８６が決定した回数目のサイクルまで」としている点。
［相違点２］：本件発明の禁止制御手段が「更に前記禁止制御直後の前記可動部材の開放状態のときには、再度前記入賞増大機構の作動を許容する」ものであるのに対し、先願当初明細書等に記載の発明の禁止制御手段は、禁止制御直後の可動部材の開放状態のときに再度入賞増大機構の作動を許容するか否か不明である点。
　
（３）当審の判断
　そこで、上記相違点１について検討すると、禁止制御手段が入賞増大機構の作動を禁止することとなる、可動部材の一定回数の開放状態のうちの或る回数目の開放状態のときが、本件発明では予め可動部材が開放状態になる前に定められているのに対して、先願当初明細書等に記載の発明では乱数取出手段８５が乱数生成手段８４から乱数を取り出す毎に、誘導条件決定手段８６が当該乱数により決定するというものである。
　そうすると、両者の間には、上記或る回数目が、本件発明では「定数」であるのに対して、先願当初明細書等に記載の発明では「変数」であるという基本的な構成上の差異のあることが認められる。
　
（４）まとめ
　そうしてみると、両者間には、相違点１についての構成上の差異があるから、相違点２について検討するまでもなく、本件発明が上記甲第１号証に記載された発明と同一であるということはできない。そして、本件発明の奏する作用効果は、特許明細書に記載の格別の効果を奏するものである。
　したがって、申立人が主張する取消理由１は採用できない。
　
２−３［取消理由２］（特許法第３９条第２項）について
（１）甲第２号証の発明
　甲第２号証の特許請求の範囲には、「【請求項１】大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、前記可動部材の一定回数の開放状態のうち予め定めた回数目の開放状態のときに前記入賞増大機構の作動を禁止する禁止制御手段を設けたことを特徴とするパチンコ機。」（以下、これを「甲第２号証の発明」という。）が記載されている。
　
（２）対比・判断
　本件発明と甲第２号証の発明とを比較すると、上記甲第２号証の特許請求の範囲の請求項１には「前記可動部材の一定回数の開放状態のうち予め定めた回数目の開放状態のときに前記入賞増大機構の作動を禁止する禁止制御手段を設けたこと」が記載されているのに対し、本件発明には「前記可動部材の一定回数の開放状態のうち最初の開放状態から所定回数目の開放状態間では前記入賞増大機構の作動を許容する一方、その後の前記可動部材の開放状態のときに前記入賞増大機構の作動を禁止し、更に前記禁止制御直後の前記可動部材の開放状態のときには、再度前記入賞増大機構の作動を許容する禁止制御手段を設けたこと」が記載されている。
　換言すれば、一方の本件発明の構成である「前記可動部材の一定回数の開放状態のうち最初の開放状態から所定回数目の開放状態間では前記入賞増大機構の作動を許容する一方、その後の前記可動部材の開放状態のときに前記入賞増大機構の作動を禁止し、更に前記禁止制御直後の前記可動部材の開放状態のときには、再度前記入賞増大機構の作動を許容する禁止制御手段を設けたこと」が他方の甲第２号証の特許請求の範囲の請求項１に記載されてなく、同時に、他方の甲第２号証の発明の構成である「前記可動部材の一定回数の開放状態のうち予め定めた回数目の開放状態のときに前記入賞増大機構の作動を禁止する禁止制御手段を設けたこと」が一方の本件発明に記載されていない。そして、両者間の相互に相違する上記構成が自明の事項であるとも、或いは、本件発明の出願前の周知技術ということもできない。
　
（３）まとめ
　そうしてみると、両者の発明の構成が相互に相違するから、本件発明が甲第２号証の発明と同一である、ということはできない。
　したがって、申立人が主張する取消理由２も採用できない。
　
３．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年５月７日（２００１．５．７）
【訂正の要旨】
訂正の要旨
［訂正事項ａ］
　特許明細書の【特許請求の範囲】の
　「【請求項１】大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、前記可動部材の一定回数の開放状態のうち最初の開放状態から所定回数目の開放状態間では前記入賞増大機構の作動を許容する一方、その後の前記可動部材の開放状態のときに前記入賞増大機構の作動を禁止する禁止制御手段を設けたことを特徴とするパチンコ機。
　【請求項２】前記禁止制御直後の前記可動部材の開放状態のときには、再度前記入賞増大機構の作動を許容するようにしたことを特徴とする請求項１記載のパチンコ機。」
の記載を、
特許請求の範囲の減縮を目的として、
　「【請求項１】大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、前記可動部材の一定回数の開放状態のうち最初の開放状態から所定回数目の開放状態間では前記入賞増大機構の作動を許容する一方、その後の前記可動部材の開放状態のときに前記入賞増大機構の作動を禁止
し、更に前記禁止制御直後の前記可動部材の開放状態のときには、再度前記入賞増大機構の作動を許容
と訂正する。
［訂正事項ｂ］
　特許明細書の段落【０００４】の
　「【課題を解決するための手段】上記した目的を達成するために、本発明においては、大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、前記可動部材の一定回数の開放状態のうち最初の開放状態から所定回数目の開放状態間では前記入賞増大機構の作動を許容する一方、その後の前記可動部材の開放状態のときに前記入賞増大機構の作動を禁止する禁止制御手段を設けたことを特徴とするものである。」
の記載を、
明りょうでない記載の釈明を目的として、
　「【課題を解決するための手段】上記した目的を達成するために、本発明においては、大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、前記可動部材の一定回数の開放状態のうち最初の開放状態から所定回数目の開放状態間では前記入賞増大機構の作動を許容する一方、その後の前記可動部材の開放状態のときに前記入賞増大機構の作動を禁止
し、更に前記禁止制御直後の前記可動部材の開放状態のときには、再度前記入賞増大機構の作動を許容する
と訂正する。
（５４）【発明の名称】
パチンコ機
（５７）【特許請求の範囲】
　【請求項１】　大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、
　前記可動部材の一定回数の開放状態のうち最初の開放状態から所定回数目の開放状態間では前記入賞増大機構の作動を許容する一方、その後の前記可動部材の開放状態のときに前記入賞増大機構の作動を禁止
し、更に前記禁止制御直後の前記可動部材の開放状態のときには、再度前記入賞増大機構の作動を許容
【発明の詳細な説明】
　【０００１】
　【発明の属する技術分野】
　本発明は、大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機に関するものである。
　【０００２】
　【従来の技術】
　従来、大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置として、例えば、変動入賞装置内に所定個数の打球を停留する停留装置（入賞増大機構に相当）を設け、その停留装置によって停留された打球自体を停留解除時に特定入賞口に入賞するように誘導するもの又は停留された打球によって後続の打球を特定入賞口に入賞するように誘導するものが市場に提供されていた。このような停留装置は、可動部材の一定回数の開放状態毎に作動するようにされていた。
　【０００３】
　【発明が解決しようとする課題】
　上記したパチンコ機においては、可動部材の開放状態毎に停留装置が作動するので、可動部材の開放状態が設定された一定回数の最終回まで容易に到達することになる。このため、遊技者としては、大当り状態になりさえすれば、最終回まで可動部材が開放状態に駆動されるので、ある程度の獲得できる入賞玉数が予測でき、遊技にスリルがないという問題があった。本発明は、上記した問題点に鑑みなされたもので、その目的とするところは、大当り状態となっても、最終回まで可動部材の開放状態が継続するかどうか分からないようにして遊技にスリルを与えることができるパチンコ機を提供することにある。
　【０００４】
　【課題を解決するための手段】
　上記した目的を達成するために、本発明においては、
　大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、
　前記可動部材の一定回数の開放状態のうち最初の開放状態から所定回数目の開放状態間では前記入賞増大機構の作動を許容する一方、その後の前記可動部材の開放状態のときに前記入賞増大機構の作動を禁止
し、更に前記禁止制御直後の前記可動部材の開放状態のときには、再度前記入賞増大機構の作動を許容
　【０００５】
　【作用】
　大当り状態となって可動部材の所定の開放状態が所定回数目に到達する前は、可動部材の開放状態毎に入賞増大機構が作動して打球が特定入賞口に誘導される可能性が高くなる。このため、所定回数目までは、可動部材の開放状態が継続される可能性が高い。しかし、所定回数目の次の可動部材の開放状態時には、入賞増大機構が作動しないので、可動部材に受け入れられた打球が特定入賞口に誘導される可能性は、入賞増大機構が作動したときに比べて低くなる。したがって、この回で運よく打球が特定入賞口に導かれて次の回に継続されれば、次の回からは、再度入賞増大機構が作動するので、大当り状態時に設定された一定回数である最終回まで可動部材の開放状態が継続される可能性が高まる。一方、所定回数目に打球が特定入賞口に誘導されなかったときには、当該回で可動部材の開放状態が終了することになる。このように、本発明にあっては、大当り状態時に設定される一定回数の開放状態のうちの所定回数目の次の開放状態に入賞増大機構が作動しないように構成したので、可動部材の開放状態が最終回まで継続するかどうか分からず、遊技者にスリルを与えることができる。
　【０００６】
　【発明の実施の形態】
　以下、図面を参照して、本発明の実施形態について説明する。まず、図７及び図８を参照してこの発明の実施形態が適用されるパチンコ機について説明する。図７はパチンコ機の正面図、図８はその背面図である。図７において、パチンコ機１の前面枠２には、金枠３、ガラス扉枠４、前面板５等が取り付けられ、また前面枠２の裏面には遊技盤６が着脱自在に取り付けられている。
　【０００７】
　遊技盤６には、打球を誘導するとともに遊技領域７を区画形成する誘導レール８がほぼ円状に植立されている。遊技領域７のほぼ中央には、本実施形態の要部を構成する変動入賞装置３０が取着されている。なお、変動入賞装置３０については後に詳述する。更に、遊技領域７には、通常入賞口９ａ，９ｂ、チューリップ式入賞口１０ａ，１０ｂ、始動入賞口１１ａ〜１１ｃ、及び大当り状態表示ランプ１２ａ，１２ｂ等がそれぞれ設けられている。前記始動入賞口１１ａ〜１１ｃに対応して始動入賞検出スイッチ１３ａ〜１３ｃが遊技盤６の裏面に設けられている。
　【０００８】
　前記前面板５の表面には、払出された景品玉を貯溜し、かつ発射位置に打球を供給する上皿１４が固着され、該上皿１４の下方の前面枠２の前面には、打球の弾発力を調節する操作ハンドル１５や上皿１４に貯溜しきれなかった景品玉を貯溜する下皿１６が取り付けられている。
　【０００９】
　次に、図８において、パチンコ機１の背面には、機構板１７が開閉自在に設けられ、該機構板１７には、前記遊技領域７に設けられた各種の入賞口に入った入賞玉に対応する所定個数の景品玉を払出すための公知の部品、装置、あるいは機構等が配設されている。例えば、景品玉タンク１８、景品玉払出装置１９、入賞玉処理機構２０等である。前記機構板１７のほぼ中央には、大型の窓開口２１が開設され、該窓開口２１を介して、前記遊技盤６裏面に取り付けられた制御回路基板ケース２２及び前記変動入賞装置３０の裏面を覆うカバーケース２３が後方に突出している。制御回路基板ケース２２内には、前記遊技盤６に設けられた検出スイッチ等の入力機器からの入力信号を受けて遊技盤６に設けられた変動入賞装置３０の駆動源や表示ランプ１２ａ，１２ｂ等の出力機器に出力信号を送って、遊技全体の制御を行うマイクロコンピュータ等からなる制御回路基板が収納されている。
　【００１０】
　次に、図１乃至図６に基づいて、停留装置装置７０を内蔵した変動入賞装置３０の構造について説明する。まず、図１乃至図３に基づいて変動入賞装置の全体について説明する。図１は、変動入賞装置の正面図であり、図２は、変動入賞装置の正面斜視図であり、図３は、図１に示すＡ−Ａ′線で切断した断面図である。
　【００１１】
　図において、変動入賞装置３０は、前記遊技盤６に取り付けられる取付板３１を有し、該取付板３１には、縦長の窓部３２が形成されている。この窓部３２の上縁を覆うように上部装飾板を兼ねた逆Ｕ字状の障害受部３３と、下縁を覆うように下部装飾板を兼ねたＵ字状の下部受部３４とが取付板３１に取着され、更に、障害受部３３と下部受部３４との間には、一対の可動部材３５ａ，３５ｂが水平方向に摺動自在に取り付けられている。この可動部材３５ａ，３５ｂは、前記窓部３２の上部に横臥される上部玉誘導板３６の先端部に形成された案内溝３６ａに可動部材３５ａ，３５ｂの下部に形成された嵌入突起３７ａ，３７ｂ（ただし、３７ｂは図示せず）を遊嵌させて水平方向に案内摺動されるようになっている。また、可動部材３５ａ，３５ｂには、取付板３１の後方に延びる回動軸３８ａ，３８ｂの先端３９ａ，３９ｂ（ただし、３９ｂは図示せず）が遊嵌され、該回動軸３８ａ，３８ｂの後端が作動部材４０と係合されている。作動部材４０のほぼ中央には、電気的な駆動源としてのソレノイド４１のプランジャー４２が連結され、ソレノイド４１の動作を作動部材４０、回動軸３８ａ，３８ｂを介して可動部材３５ａ，３５ｂに伝達している。すなわち、ソレノイド４１が励磁されると可動部材３５ａ，３５ｂは、水平方向に摺動して開状態となって遊技盤６上を落下してくる打球を受け入れ、ソレノイド４１が消磁されると閉状態となって打球を受け入れない。なお、この実施形態の場合、可動部材３５ａ，３５ｂは、短い時間間隔、例えば、前記始動入賞口１１ａ〜１１ｃへ打球が入賞した場合には、約０．５秒間隔で開閉制御され、後述する特定入賞口９０ａへ入賞した場合には、約０．７５秒間隔で開閉制御される。
　【００１２】
　また、取付板３１には、前記窓部３２の周縁に沿って後方に突出する凹室周壁４３が形成され、この凹室周壁４３の後面には、後面カバー枠４４が取着されている。そして、この後面カバー枠４４と前記凹室周壁４３と前記障害受部３３と前記下部受枠３４と前記可動部材３５ａ，３５ｂとによって変動入賞装置３０の入賞空間４５を形成している。なお、前記後面カバー枠４４の裏面には、変動入賞装置３０の各種の駆動源、例えば前記ソレノイド４１や後述する駆動モータ５９等を取り付ける駆動源取付板４６が取着され、後面カバー枠４４の下方には、後述する転動板４９を含み、かつ停留装置７０を取り付ける下方構成板７１が配置されている。
　【００１３】
　次に、図４乃至図６を含めて前記入賞空間４５内の構成について説明する。まず、図３において、入賞空間４５の上部には、前記した上部玉誘導板３６が横臥され、可動部材３５ａ，３５ｂに受け入れられた入賞玉を後方へ誘導するようになっている。後方へ誘導された入賞玉は、前記後面カバー枠４４に形成された入賞玉通過路４７を通って、その入賞玉通過路４７の下端に形成された入賞玉出口４８から入賞空間４５の下方に配置される転動板４９上に再度現われ、下方に向って流下する。前記玉出口４８から排出された入賞玉は、その流下下方に配置され、かつ左右方向に回動ずる振分け装置５０によって、その流下方向が変化させられる。この振分け装置５０は、ゴルファーがクラブを握っている状態の意匠が付与され、入賞玉出口４８から排出される入賞玉をゴルフのボールとみなして前記クラブが左右に振分けるようになっている。
　【００１４】
　この振分け装置５０は、図３及び図５に示すように前記後面カバー枠４４に軸支された回動軸５１の一端に固定され、該回動軸５１の他端には、上下に係合ピン５３、５４が突設された作動部材５２が固定されている。上部に設けられた係合ピン５３は、前記駆動源取付板４６に左右方向に摺動自在に設けられた摺動部材５５と係合するようになっている。すなわち、摺動部材５５のほぼ中央に形成された係合長穴５６に係合ピン５３が挿入され、摺動部材５５の左右方向の摺動により、作動部材５２が回動軸５１を中心にして回動するようになっている。なお、摺動部材５５は、前記駆動源取付板４６に植立された案内ピン５７ａ，５７ｂが摺動部材５５の左右両側に形成された案内長穴５８ａ，５８ｂに挿入されることによって摺動自在に支持されている。
　【００１５】
　前記駆動源取付板４６には、駆動モータ５９が取着され、その出力軸の先端には、回転カム６０が固定されている。そして、該回転カム６０の偏心した位置には、偏心ピン６１が突設されており、該偏心ピン６１が前記摺動部材５５の係合長穴５６内に挿入されている。したがって、駆動モータ５９が動作することによって回転カム６０が回転し、摺動部材５５が左右方向に摺動する。すると、作動部材５２が回動軸５１を中心にして一定の角度範囲内で左右方向に回動し、該回動軸５１の先端に固定されている振分け部材５０も左右方向に回動する。
　【００１６】
　一方、作動部材５２の下部に設けられた係合ピン５４は、前記後面カバー枠４４の後部に回転自在に軸６５によって軸支された装飾回動部材６２の係合長穴６３に挿入されている。装飾回動部材６２は、「コ」字状に形成されており、その両側先端にモグラの意匠を付与した装飾板６４ａ，６４ｂが固着され、該装飾板６４ａ，６４ｂが前記転動板４９の後部両側に穿設した開口６７ａ，６７ｂ（図４参照）から交互に出没するようになっている。すなわち、作動部材５２の回動動作が係合ピン５４と係合長穴６３との係合により装飾回動部材６２に伝達され、これにより装飾回動部材６２が軸６５を中心にして正面から見た場合に上下方向に回動するため、装飾板６４ａ，６４ｂが転動板４９内に隠れたり、現われたりして入賞空間４５下部の装飾効果を高めている。なお、図示の装飾回動部材６２は、前記入賞玉出口４８から排出される入賞玉の流下状態にほとんど影響を及ぼさないが、転動板４９の後部ではなく中央寄りに配置して振分け部材５０によって振分けられた入賞玉の流下状態を更に変化させるように構成しても良い。
　【００１７】
　また、図示の実施形態では、前記入賞玉通過路４７の入口部分に可動部材３５ａ，３５ｂによって誘導された入賞玉を検出する１０カウントスイッチ６６が取り付けられ、更に、入賞玉通過路４７は、図３に示されるように前記回動軸５１を避けるように回動軸５１部分を周回するように構成されている。
　【００１８】
　次に前記転動板４９に設けられる停留装置７０について説明する。停留装置７０は、前記転動板４９を含む下方構成板７１に取り付けられるとともに図６に示されるように、停留ソレノイド７２と、揺動部材７７と、出没部材８１とから成る。停留ソレノイド７２のプランジャー７３の先端には、連結部材７５が連結され、該連結部材７５には、下方構成板７１に軸７９で軸支された揺動部材７７の揺動突片７８が連結ピン７６によって連結されている。また、揺動部材７７の先端に形成された係合部８０には、出没部材８１が遊嵌され、該出没部材８１の両端に形成された出没突片８２ａ，８２ｂが前記転動板４９に形成された摺動穴８３ａ，８３ｂ内に収納されている。
　【００１９】
　上記のように構成された停留装置７０は、通常の状態、すなわち停留ソレノイド７２が非励磁状態のときには、プランジャー７３に周設されている付勢バネ７４の付勢力により出没突片８２ａ，８２ｂが摺動穴８３ａ，８３ｂの上端位置とほぼ同一平面となるように上昇した位置で保持され、所定の条件が達成されて停留ソレノイド７２が励磁されると、プランジャー７３が付勢バネ７４の付勢力に抗して吸引されるので、揺動部材７７が揺動し、出没突片８２ａ，８２ｂが摺動穴８３ａ，８３ｂ内に引っ込んで転動板４９上に凹穴ができることになる。そして、この凹状の摺動穴８３ａ，８３ｂは、パチンコ玉の直径とほぼ同じであるため、転動板４９を流下してきた入賞玉が落ち込んでその位置に停留されることとなる。この入賞玉の停留は、停留ソレノイド７２が励磁されている間中保持されるが、停留ソレノイド７２が非励磁状態に戻ると、付勢バネ７４の付勢力により出没突片８２ａ，８２ｂが上昇するので摺動穴８３ａ，８３ｂで停留されていた入賞玉は押し出されて転動板４９上を再度流下するようになっている。なお、下方構成板７１は、転動板４９の側壁に突設した係合突起８４ａ，８４ｂ（図４参照；ただし８４ａは図示せず）を前記凹室周壁４３に形成した係合溝（図示せず）に係合させることによりその前方を支持し、下方構成板７１の後端に形成した係合突片８５を前記駆動源取付板４６に穿設した係合穴８６（図３参照）に係合させることによりその後方を支持して、全体として前記取付板３１に固定されている。
　【００２０】
　また、停留ソレノイド７２が、前記可動部材３５ａ，３５ｂ用のソレノイド４１と異なり取付板３１に対して垂直方向に取り付けられていることによって、変動入賞装置３０の裏面構造において、より自由度の高い設計構造とすることができる。すなわち、前記停留ソレノイド７２をソレノイド４１と同一の方向（取付板３１と平行方向）に取り付けようとすると、その設計上、停留ソレノイド７２をソレノイド４１の下方または左右いずれか一方の側に取り付けなければならない。しかしながら、このような場合に、ソレノイド４１が可動部材３５ａ，３５ｂとの関係で中央に位置するため停留ソレノイド７２の一部が取付板３１の投影面積範囲から飛び出して取り付けられる場合があり、このような場合には、セット化された変動入賞装置３０を遊技盤６に取り付ける際にスムーズに取付穴内に挿入することができないこととなる。これを解決するために、停留ソレノイド７２の小型のものを使用するすれば良いが、この小型のものでは繰り返し動作の激しい停留装置７０の寿命が短くなるという欠点があり、ある程度の大きさを有する停留ソレノイド７２を使用しなければならない。そこで、図示した実施形態のように、停留ソレノイド７２を取付板３１に対して垂直方向に取り付ければ、上述した問題も起こらず、停留ソレノイド７２の大きさを設定するに当ってもきわめて自由に選択することができる。
　【００２１】
　前記転動板４９の流下下方には、複数の入賞口９０ａ〜９０ｃが形成されている。この複数の入賞口９０ａ〜９０ｃは、前記下部受部３４に形成された一対の入賞口区画突片９１ａ，９１ｂによって区画形成され、該入賞口区画突片９１ａ，９１ｂによって挟まれる中央の入賞口を特定入賞口９０ａとし、左右の入賞口を通常入賞口９０ｂ，９０ｃとしている。特定入賞口９０ａには、Ｖ入賞玉検出スイッチ９２が設けられ、大当り状態となることを検出するとともに、大当り状態中における検出により、可動部材３５ａ，３５ｂを再度、最初から摺動させるための信号を検出するものである。
　【００２２】
　なお、入賞空間４５内には、前記上部玉誘導板３６の上部に可動部材３５ａ，３５ｂの後に詳述する開閉サイクル回数を表示する８個のＬＥＤランプ６８と前記後面カバー枠４４の前面に１回の開閉サイクル中に可動部材３５ａ，３５ｂによって誘導されて、前記１０カウントスイッチ６６で検出された入賞玉数を表示する７セグメントＬＥＤ６９も設けられている。また、上記ＬＥＤランプ６８は、二色発光のＬＥＤが使用され、可動部材３５ａ，３５ｂの１回目〜８回目までの開閉サイクル回数（継続回数）までは、赤色で点灯し、９回目〜１６回目までの開閉サイクル回数までは、黄色で点灯するようになっている。
　【００２３】
　上述した転動板４９上の停留装置７０と複数の入賞口９０ａ〜９０ｃの関係について図４を参照して説明すると、図４（Ａ）に示すように停留装置７０が作動していない状態、すなわち、停留ソレノイド７２が非励磁の状態においては、入賞玉出口４８から排出される入賞玉は、振分け装置５０の回動タイミングによってその流下方向を変化させられ転動板４９上を下方に向って流下し、複数の入賞口９０ａ〜９０ｃのいずれかに入賞する。この場合、複数の入賞口９０ａ〜９０ｃのいずれの入賞口に入賞するか否かは、振分け装置５０と入賞玉出口４８から排出される入賞玉との接触するタイミングによって決定されるものであり、どの入賞口への入賞率が高いかは一概に言えない。
　【００２４】
　一方、図４（Ｂ）に示すように停留装置７０が作動した状態、すなわち、停留ソレノイド７２が励磁した状態においては、入賞玉出口４８から排出された入賞玉のうちあるものは凹状になっている摺動穴８３ａ，８３ｂに落ち込み、その位置で停留される。すると、その後から入賞玉出口４８から排出される入賞玉は、振分け部材５０によって左右両端側に変化させられないかぎり、停留している入賞玉に衝突して主として中央寄りに流下方向を変化させられ、特定入賞口９０ａに入賞し易くなる。このように転動板４９上を流下する入賞玉は、振分け装置５０だけでなく、先に排出された入賞玉であって、停留装置７０によって停留されている入賞玉に衝突してその流下方向が変化させられる。なお、転動板４９上に形成される摺動穴８３ａ，８３ｂの設置位置、例えば、２つの摺動穴８３ａ，８３ｂの間隔や、長手方向の位置等を変化させることによって特定入賞口９０ａへの入賞率を調節できることは言うまでもない。
　【００２５】
　また、図示の実施形態においては、取付板３１の中央左右および凹室周壁４３の左右に１つのランプ８８ａまたは８８ｂ（図２参照；ただし８８ａは図示省略）によって装飾される凸レンズ状の装飾板８７ａ，８７ｃまたは８７ｂ，８７ｄ（図１参照；これにはゴルフボールの意匠が付与されている）が設けられ、取付板３１の前方および前記入賞空間４５の装飾効果を高めている。更に、前記後面カバー枠４４の一側部には、三角形状のＬＥＤランプ８９が複数個配設され、木の意匠として入賞空間４５内を装飾している。
　【００２６】
　次に、上記した構成を有するパチンコ機１の動作の概要について説明する。遊技客が、操作ハンドル１５を操作して、打球を遊技領域７内に打ち込み、その打ち込まれた打球が始動入賞口１１ａ〜１１ｃのいずれかに入賞すると、対応する始動入賞検出スイッチ１３ａ〜１３ｃが作動して、可動部材３５ａ，３５ｂの約０．５秒間の摺動を１回又は２回行う。その１回又は２回の摺動動作中に入賞空間４５内に入賞した玉が、特定入賞口９０ａに入賞したときには、大当り状態となる。
　【００２７】
　そして、大当り状態になると、可動部材３５ａ，３５ｂが摺動動作が開始する。この摺動動作は、約０．７５秒間隔で１８回を行うものであるが、その１８回の摺動動作内で１０カウントスイッチ６６が１０個の入賞玉を検出したときには、摺動動作の途中であってもその動作を終了する（この動作を開閉サイクルという）。また、開閉サイクル中に可動部材３５ａ，３５ｂで受け入れられた打球が特定入賞口９０ａに入賞したときには、直ちに当該開閉サイクルが終了し、所定時間のインターバルを介して再度次の開閉サイクルが繰り返される。このような開閉サイクルの継続回数は、打球が特定入賞口９０ａに入賞することを条件として最高１６回に設定されている。また、本実施形態においては、開閉サイクルが開始されると同時に停留装置７０も動作されるが、これについては、次に詳述する。
　【００２８】
　次に、上記した停留装置７０の動作を制御する停留ソレノイド７２の動作を図９のフロー図に基づいて説明する。図９に示すサブルーチン処理は、前記制御回路基板ケース２２内に設けられたマイクロコンピュータを含む制御回路によってなされる。
　【００２９】
　まず、開閉サイクルの継続回数カウンタの値が「８」であるか又は最終回の「１６」であるか否かが判断される（ステップＳ１０）。継続回数カウンタの値が「８」又は「１６」でないときには、停留ソレノイド７２がＯＮする（ステップＳ２０）。この停留ソレノイド７２のＯＮ状態は、可動部材の摺動回数が「１４」を超えるまで（ステップＳ３０）、あるいは入賞玉数を計数する１０カウンタカウンタの値が「６」以上となるまで（ステップＳ４０）、継続され、可動部材の摺動回数が「１４」を超えたとき、又は１０カウンタカウンタの値が「６」以上となったときには、停留ソレノイドがＯＦＦとされる（ステップＳ５０）。つまり、開閉サイクルの継続回数カウンタの値が「８」又は「１６」でない場合には、停留装置７０が作動して変動入賞装置３０に受け入れられた打球が特定入賞口９０ａに入賞する可能性が高く、このため、少なくとも１回目〜７回目までと、９回目〜１６回目までは、可動部材３５ａ，３５ｂの開閉サイクルが継続する可能性が高い。
　【００３０】
　一方、開閉サイクルの継続回数カウンタの値が「８」又は最終回の「１６」であるときには、上記したステップＳ２０〜ステップＳ５０の処理が行われず、変動入賞装置３０に受け入れられた打球が貯留されることはない。このため、変動入賞装置３０に受け入れられた打球が特定入賞口９０ａに入賞する可能性は、それ以外の回数目の開閉サイクルに比較して継続される可能性が低くなり、特に継続される必要のない最終回の「１６」回目を除く「８」回目の開閉サイクルにおいて、遊技者は、継続権が発生するか否か緊張感を持って遊技を行わなければならず、スリルを味わうことができる。
　【００３１】
　以上、実施形態について説明してきたが、上記した実施形態においては、継続回数の上限として、「１６」のものを示したが、これ以外の回数を設定しても良い。また、停留装置７０の動作が禁止される回数目をそのほぼ中間の「８」回目としたが、これも任意に設定しても良い。更に、停留装置７０の動作が禁止される回数目を複数設定しても良い。
　【００３２】
　また、入賞増大機構として停留装置７０を示したが、他の機構、例えば、特定入賞口９０ａの大きさを変化させる機構や特定入賞口９０ａに向けて玉を誘導する機構等であってもよい。要は、特定入賞口への入賞の可能性が高まるような機構であればよい。また、これとは逆に、通常の開閉サイクルにおいては、比較的打球が特定入賞口へ誘導され易くしておき、予め定められた回数目の開閉サイクルだけ特定入賞口への打球の誘導を抑制する抑制機構を作動させても、本発明と同様な目的、効果を達成することができる。
　【００３３】
　また、上記実施形態では、大当り状態を出現させるパチンコ機として、始動入賞時に開閉する可動部材３５ａ，３５ｂに受け入れられた打球が特定入賞口９０ａに誘導されたときに大当りとなる形式のもの（いわゆるヒコーキタイプのパチンコ機）について説明したが、他の構成によって大当り状態を出現させるパチンコ機であってもよい。例えば、始動入賞に基づいて変動表示する図柄表示装置の停止時の図柄の組合せが所定の組合せとなったときに、大当りとなって変動入賞装置を一定時間又は所定個数の入賞玉があるまで開放する形式のパチンコ機（いわゆるデジタルタイプのパチンコ機）においても変動入賞装置に入賞増大機構を設けて上記実施形態と同様な動作を行わせてもよい。
　【００３４】
　【発明の効果】
　以上説明したところから明らかなように、本発明においては、大当り状態時に設定される一定回数の開放状態のうちの所定回数目の次の開放状態に入賞増大機構が作動しないように構成したので、可動部材の開放状態が最終回まで継続するかどうか分からず、遊技者にスリルを与えることができる。
【図面の簡単な説明】
　【図１】
　実施形態に係るパチンコ機に設けられる変動入賞装置の正面図である。
　【図２】
　変動入賞装置の正面斜視図である。
　【図３】
　図１に示すＡ−Ａ′線で切断した断面図である。
　【図４】
　停留装置の作用を示す斜視図である。
　【図５】
　振分け装置だけを示した斜視図である。
　【図６】
　停留装置だけを示した分解斜視図である。
　【図７】
　実施形態に係るパチンコ機の正面図である。
　【図８】
　パチンコ機の背面図である。
　【図９】
　実施形態の停留装置の動作を示すフロー図である。
　【符号の説明】
　１　パチンコ機
　３０　変動入賞装置
　３５ａ，３５ｂ　可動部材
　７０　停留装置（入賞増大機構）
　９０ａ　特別入賞口